(57)【要約】【課題】吸込付属具の着脱時に汚れ易い吸込付属具に触れなければならず、不衛生であるとともに一旦、先端パイプから延長管を外した後、吸込付属具を収納部から外して、または回動作させて先端パイプに接続する必要があり、使用性が悪かった。【解決手段】延長管２９の外郭に形成した係止部３７に係止される被係止部３８を吸込付属具３０に設け、吸込付属具３０の前後方向の位置規制を係止部３７と被係止部３８の嵌合で行うことにより、吸込付属具３０の着脱が吸込付属具３０に触れることなく、先端パイプ２８と延長管２９の着脱の動作で、衛生的に且つ容易に行え、使用性の向上が図れるものである。【選択図】図１
2006081721.tif 000002
【特許請求の範囲】
【請求項１】
電気掃除機の本体と、一端を前記本体に接続され他端に先端パイプを有するホースと、前記先端パイプにその一端を接続される延長管と、同じく前記先端パイプに、前記延長管の替わりに、その一端である接続部を接続され他端には吸込口を有する吸込付属具とを備え、前記吸込付属具係止用の係止部を前記延長管の外郭で前記先端パイプに接続される側の近傍に設けると共に、前記吸込付属具の外郭には前記係止部に係止される被係止部を設け、前記吸込付属具の非使用時に前記吸込付属具を前記延長管に保持する際は、前記吸込付属具の接続部が前記先端パイプ側に向くように、前記吸込付属具の被係止部を前記延長管の係止部に係止させる構成とした電気掃除機。
【請求項２】
吸込付属具を延長管に保持した際、前記吸込付属具の接続部の外郭と、係止部を設けた前記延長管の外郭との間に、先端パイプが前記延長管に保持された前記吸込付属具の接続部に挿入可能な隙間を確保した請求項１に電気掃除機。
【請求項３】
吸込付属具は、その接続部の一部を、延長管の先端パイプ側端部よりも先端パイプ側に突出させて保持する構成とした請求項１に記載の電気掃除機。
【請求項４】
吸込付属具の接続部と先端パイプとはテーパ嵌合する構成とし、前記吸込付属具に設けた被係止部で、前記吸込付属具の接続部と前記先端パイプとの嵌合距離を規制する請求項１〜３のいずれか１項記載の電気掃除機。
【請求項５】
一端に吸込口を、他端に電気掃除機の本体側と連通接続される接続部を有した吸込付属具を延長管の外郭部に保持する電気掃除機において、延長管の外郭に設けられ先端パイプ側が閉塞し、反先端パイプ側が開口した略コの字状の係止部と、吸込付属具外郭に形成した前記係止部に係止される被係止部と、延長管の軸線上の係止部開口側に被係止部の長さ以上の間隔をあけて形成した凸部を備えたことを特徴とする電気掃除機。
【発明の詳細な説明】
【技術分野】
【０００１】
本発明は、延長管などに吸込付属具を着脱自在に保持した電気掃除機に関するものである。
【背景技術】
【０００２】
従来のこの種の電機掃除機は、電気掃除機の集塵室と連通したホースとホースの先端に設けた先端パイプとこの先端パイプに接続されるブラシノズルや隙間ノズルなどの吸込付属具を有しており、先端パイプなどに設けた係止部に着脱自在に係止される被係止部を吸込付属具に設け、吸込付属具不使用時には先端パイプなどに形成された係止部に保持して収納し、使用時には係止部から取り外し、または回動させて先端パイプに接続するように構成している(例えば、特許文献１、特許文献２、特許文献３参照)。
【特許文献１】特開平９−４７３９３号公報
【特許文献２】特開２０００−７９０８２号公報
【特許文献３】特開２００１−１５７６５１号公報
【発明の開示】
【発明が解決しようとする課題】
【０００３】
しかしながら、上記構成では、吸込付属具を先端パイプに装着する時には、まず、先端パイプから延長管を取り外した後、吸込付属具を握り収納場所から取り外しまたは回動させて先端パイプに装着する必要があった。また、吸込付属具を先端パイプから取り外す時には、上記とは逆に先端パイプから吸込付属具を握り吸込付属具を取り外してまたは回動させて収納場所に収納した後、先端パイプに延長管を装着する必要があり、吸込付属具と延長管の付け替えに汚れやすい吸込付属具を握らなくてはならず不衛生であるとともに、吸込付属具と延長管着脱、吸込付属具の収納部からの着脱の３動作が必要であり使用性が悪いという課題があった。
【０００４】
本発明は上記課題を解決するもので、吸込付属具と延長管の付け替え時に吸込付属具を握ることなく、また、吸込付属具の着脱が延長管の着脱動作の延長で行うことができる、衛生的で使用性に優れた吸込付属具の収納が行える電気掃除機を提供することを目的とするものである。
【課題を解決するための手段】
【０００５】
上記従来の課題を解決するために本発明は、電気掃除機の本体と、一端を前記本体に接続され他端に先端パイプを有するホースと、前記先端パイプにその一端を接続される延長管と、同じく前記先端パイプに、前記延長管の替わりに、その一端である接続部を接続され他端には吸込口を有する吸込付属具とを備え、前記吸込付属具係止用の係止部を前記延長管の外郭で前記先端パイプに接続される側の近傍に設けると共に、前記吸込付属具の外郭には前記係止部に係止される被係止部を設け、前記吸込付属具の非使用時に前記吸込付属具を前記延長管に保持する際は、前記吸込付属具の接続部が前記先端パイプ側に向くように、前記吸込付属具の被係止部を前記延長管の係止部に係止させる構成としたことにより、吸込付属具と延長管の付け替え時に吸込付属具を握ることなく、また、吸込付属具の着脱が延長管の着脱動作の延長で行うことができ、衛生的で使用性に優れた吸込付属具の収納が行える。
【発明の効果】
【０００６】
本発明は吸込付属具と延長管の付け替え時に吸込付属具を握ることなく、また、吸込付属具の着脱が延長管の着脱動作の延長で行うことができる、衛生的で使用性に優れた吸込付属具の収納が行える電気掃除機を提供することができる。
【発明を実施するための最良の形態】
【０００７】
第１の発明は、電気掃除機の本体と、一端を前記本体に接続され他端に先端パイプを有するホースと、前記先端パイプにその一端を接続される延長管と、同じく前記先端パイプに、前記延長管の替わりに、その一端である接続部を接続され他端には吸込口を有する吸込付属具とを備え、前記吸込付属具係止用の係止部を前記延長管の外郭で前記先端パイプに接続される側の近傍に設けると共に、前記吸込付属具の外郭には前記係止部に係止される被係止部を設け、前記吸込付属具の非使用時に前記吸込付属具を前記延長管に保持する際は、前記吸込付属具の接続部が前記先端パイプ側に向くように、前記吸込付属具の被係止部を前記延長管の係止部に係止させる構成としたことにより、吸込付属具を先端パイプに接続する時には、先端パイプから延長管を外しそのまま延長管の係止部に係止された吸込付属具の接続部に先端パイプを挿入した時に吸込付属具の被係止部が延長管の係止部で移動を規制され確実に先端パイプと嵌合する。その後、係止部から被係止部を外して使用する。
【０００８】
従って、吸込付属具と延長管の付け替え時に吸込付属具を握ることなく、吸込付属具と先端パイプの接続を、延長管の取り外し動作の延長で行うことができ、衛生的で使用性に優れた電気掃除機を提供できる。
【０００９】
第２の発明は、第１の発明に加えて、吸込付属具を延長管に保持した際、前記吸込付属具の接続部の外郭と、係止部を設けた前記延長管の外郭との間に、先端パイプが前記延長管に保持された前記吸込付属具の接続部に挿入可能な隙間を確保したことにより、延長管が邪魔になることなく、容易に、延長管に保持された状態の吸込付属具の接続部に、先端パイプが接続できる。
【００１０】
第３の発明は、第１の発明に加えて、吸込付属具は、その接続部の一部を、延長管の先端パイプ側端部よりも先端パイプ側に突出させて保持する構成としたことにより、吸込付属具への先端パイプの挿入が容易となり、使用性のさらなる向上が図れるものである。
【００１１】
第４の発明は、第１〜第３のいずれか１つの発明に加えて、吸込付属具の接続部と先端パイプとはテーパ嵌合する構成とし、前記吸込付属具に設けた被係止部で、前記吸込付属具の接続部と前記先端パイプとの嵌合距離を規制することにより、吸込付属具が先端パイプに必要以上にかん合することを防止し、取り外しが容易になるものである。
【００１２】
第５の発明は、一端に吸込口を、他端に電気掃除機本体側と連通接続される接続部を有した吸込付属具を延長管などの外殻部に保持する電気掃除機において、延長管の外郭に設けられ先端パイプ側が閉塞し、反先端パイプ側が開口した略コの字状の係止部と、吸込付属具外郭に形成した前記係止部に係止される被係止部と、延長管の軸線上の係止部開口側に被係止部の長さ以上の間隔をあけて形成した凸部を有したもので、吸込付属具を先端パイプに接続する時には、先端パイプから延長管を外しそのまま延長管の係止部に係止された吸込付属具の接続部に先端パイプを挿入した時に仮接続されるとともに吸込付属具が収納部から外れるとともに吸込付属具の被係止部が凸部に当たり移動を規制され確実に先端パイプとかん合し、そのまま使用できる。次に吸込付属具を先端パイプから外す時には、上記とは逆に延長管の係止部に吸込付属具の被係止部を係止させて延長管に保持した後、先端パイプを引くと被係止部が係止部の反先端パイプ側に当たり移動を規制され、先端パイプから外せるとともに収納が行え、そのままの状態で先端パイプと延長管の接続が可能となるものである。
【００１３】
従って、吸込付属具と延長管の付け替え時に吸込付属具を握ることなく、また、吸込付属具の着脱が延長管の着脱動作の延長で行え、吸込付属具を収納部から外しながら接続パイプとの接続が行え、衛生的で使用性に優れた吸込付属具の収納が行える。
【００１４】
以下、本発明の実施の形態について、図面を参照しながら説明する。なお、本実施の形態によって本発明が限定されるものではない。
【００１５】
（実施の形態１）
本発明の第１の実施の形態について、図１〜図３を用いて説明する。
【００１６】
２１は前側に塵埃を集積する集塵袋２２を配置した集塵室２３、後方に塵埃吸引用のモーター２４などを有する電気掃除機本体（以下、本体という）である。２５はホース２６の接続パイプ２７、先端パイプ２８、延長管２９を介して前記本体２１の集塵室２３と連通した床用吸込具である。３０は一端に幅の狭い吸込口３１を有し、他端に前記ホース２６の先端パイプ２８の接続口Ａ３２や延長管２９の接続口Ｂ３３に接続される管状の接続口３４を形成した吸込付属具である。延長管２９上面の先端パイプ２８側には、略コの字状に側面の一端が閉塞しかつ他端に下方に引掛け部３５を形成して開口部３６を有した係止部３７が構成されており、吸込付属具３０の下面に形成された両端が開口した略箱状の被係止部３８の下面３９幅方向を係止部３７の閉塞面４０と引掛け部３５によって狭持にて係止して吸込付属具３０を延長管２９に保持して収納している。吸込付属具３０の前後方向は被係止部３８が延長管２９の係止部３７後面（第１の保持部）４１と前面（第２の保持部）４２によって位置規制されている。また、吸込付属具３０の接続口３４は先端パイプ２８の接続部Ａ３２と接続される延長管２９の被接続部Ａ４３よりも先端パイプ２８側に突出するとともに接続口３４は延長管２９と先端パイプ２８の接続部Ａが挿入できる隙間Ｗを有して保持、収納されている。
【００１７】
上記構成による作用は以下の通りである。
【００１８】
床面の掃除を行う時には、本体２１に接続パイプ２７を接続し、先端パイプ３３の接続口Ａ３２に延長管２９を接続し、接続口Ｂ３３に床用吸込具２５を接続してモーター２４の吸引力によって床面上の塵埃を床用吸込具２５から吸込み、延長管２９、ホース２６を介して本体２１の集塵室２３に配置した集塵袋２２内に集塵していく。
【００１９】
次に、ソファーや壁際、床用吸込具２５が入らない隙間の掃除の時には、床用吸込具２５、延長管２９を先端パイプ２８から外して先端パイプ２８の接続口Ａ３２に吸込付属具３０の接続口３４をテーパかん合させ、接続して使用する。吸込付属具３０は接続口３４のテーパかん合部端部から先端の吸込口３１に向かってその内部断面積を徐々に絞った形にしているので吸込口３１の形状が細くなっており、特に隙間や角などの掃除に適している。この吸込口３１を接続口Ａ３２に接続すると吸気通路が先端の吸込口３１から形成され、塵埃の吸込みが可能となる。
【００２０】
吸込付属具３０を先端パイプ２８に接続する時には、先端パイプ２８から延長管２９を外してその状態で延長管２９上面に収納している吸込付属具３０の接続口３４に先端パイプ２８の接続部Ａ３２を挿入して吸込付属具３０の接続口３４と先端パイプ２８の接続部Ａをテーパかん合させる。接続口３４に接続部Ａ３２を挿入した時に被係止部３８が係止部３７の後面（第１の保持部）４１に当接して位置規制されることにより、吸込付属具３０を手に持たなくても先端パイプ２８と確実にテーパかん合接続でき、接続後、被係止部３８を横に移動させ係止部３７の開口部３６から引掛け部３５を外して延長管２９の収納を解除してすぐ使用できるものである。この時、吸込付属具３０が延長管２９上面に収納され、接続口３４が延長管２９の被接続部Ａ４３よりも先端パイプ２８側に突出しているので目視で容易に確認できるため、接続口３４への先端パイプ２８の挿入が非常にし易くなる。また、被係止部３８の先端パイプ２８側が吸込付属具３０のテーパかん合部端部に形成されているため、接続部Ａ３２が被係止部３８に当接して必要以上にテーパかん合するのを防止している。
【００２１】
次に吸込付属具３０を先端パイプ２８から外す時には、上記とは逆に被係止部３８を延長管２９の係止部３７の開口部３６に挿入し、引掛け部３５に係止させて先端パイプ２８を手前に引くと被係止部３８が係止部３７の前面（第２の保持部）４２に当接して位置規制されることにより、接続口３４から先端パイプ２８が容易に外せるとともにそのまま先端パイプ２８と延長管２９を接続することができる。
【００２２】
上記したように本構成によれば、先端パイプ２８への吸込付属具３０の着脱が吸込付属具３０を握ることなく、かつ、延長管２９の着脱における動作の中で容易に行えるとともに吸込付属具３０の収納も行え、衛生的で非常に使用性の向上が図れるものである。
【００２３】
（実施の形態２）
本発明の第２の実施の形態について、図４〜図６を用いて説明する。
【００２４】
実施の形態１と同一の構成については、同一の符号を付しその説明を省略する。
【００２５】
延長管２９上面の先端パイプ２８側には、略コの字状に先端パイプ２８側が閉塞し反先端パイプ２８側に引掛け部３５を形成した開口部３６を有した係止部３７が構成されており、吸込付属具３０の下面に形成された前後面が開口した略箱状の被係止部３８の下面３９前後方向を係止部３７の閉塞面（第２の保持部）４４と引掛け部３５によって狭持にて係止して吸込付属具３０を延長管２９に保持して収納している。係止部３７の開口部３６側には被係止部３８の下面３９の長さＨ１よりも大きいＨ２の距離を開口部３６から有して延長管２９外殻から突出した凸部（第１の保持部）４５を形成し、凸部（第１の保持部）４５の上部はＨ２よりもさらに大きな距離になるように傾斜部４６を形成している。吸込付属具３０の前後方向は被係止部３８が延長管２９の凸部（第１の保持部）４５と閉塞面（第２の保持部）４４によって位置規制されている。また、吸込付属具３０の接続口３４は先端パイプ２８の接続部Ａ３２と接続される延長管２９の被接続部Ａ４３よりも先端パイプ２８側に突出して保持、収納されている。
【００２６】
上記構成による作用は以下の通りである。
【００２７】
吸込付属具３０を先端パイプ２８に接続する時には、先端パイプ２８から延長管２９を外してその状態で延長管２９上面に収納している吸込付属具３０の接続口３４に先端パイプ２８の接続部Ａ３２を挿入して吸込付属具３０の接続口３４と先端パイプ２８の接続部Ａを仮接続しながら開口部３６から引掛け部３５が外れ延長管２９からの収納を解除してテーパかん合させる。次に被係止部３８が凸部（第１の保持部）４５に当接して位置規制されることにより、吸込付属具３０を手に持たなくても先端パイプ２８と確実にテーパかん合接続でき、接続後、そのまま吸込付属具３０を上方に持ち上げてすぐ使用できるものである。この時、吸込付属具３０が延長管２９上面に収納され、接続口３４が延長管２９の被接続部Ａ４３よりも先端パイプ２８側に突出しているので目視で容易に確認できるため、接続口３４への先端パイプ２８の挿入が非常にし易くなる。また、被係止部３８の接続パイプ２８側が吸込付属具３０のテーパかん合部端部に形成されているため、接続部Ａ３２が被係止部３８に当接して必要以上にテーパかん合するのを防止している。
【００２８】
次に吸込付属具３０を先端パイプ２８から外す時には、上記とは逆に被係止部３８を延長管２９の係止部３７の開口部３６に挿入し、引掛け部３５に係止させて先端パイプ２８を手前に引くと被係止部３８が係止部３７の閉塞面（第２の保持部）４４に当接して位置規制されることにより、接続口３４から先端パイプ２８が容易に外せるとともにそのまま先端パイプ２８と延長管２９を接続することができる。また、凸部（第１の保持部）４５上部に傾斜部４６を設けているので吸込付属具３０の着脱時に被係止部３８が係止部３７と凸部（第１の保持部）４５の間にセットし易く、また、外し易くなり、着脱性が向上するものである。
【００２９】
上記したように本構成によれば、先端パイプ２８への吸込付属具３０の着脱が吸込付属具３０を握ることなく、かつ、延長管２９の着脱における直線的な動作の中で容易に行えるとともに吸込付属具３０の収納も行え、衛生的で非常に使用性の向上が図れるものである。
【００３０】
また、本実施の形態では、延長管２９に係止部３７を構成して説明したが、床用吸込具２５の接続部分に係止部を構成しても同様の効果があることはいうまでもない。
【産業上の利用可能性】
【００３１】
以上のように、本発明にかかる電気掃除機は、先端パイプへの吸込付属具の着脱が吸込付属具に触れることなく、かつ、延長管の着脱における動作の中で容易に行えるとともに吸込付属具の収納も行え、衛生的で使用性の向上が図れ、電気掃除機の付属品の収納に非常に有効である。
【図面の簡単な説明】
【００３２】
【図１】本発明の実施の形態１を示す電気掃除機の全体斜視図
【図２】同電気掃除機の要部断面図
【図３】図２のａ−ａ断面図
【図４】本発明の実施の形態２を示す電気掃除機の要部断面図
【図５】図４のｂ−ｂ断面図
【図６】本発明の実施の形態２を示す電気掃除機の延長管の上面図
【符号の説明】
【００３３】
２８  先端パイプ
２９  延長管
３０  吸込付属具
３４  吸込口
３５  引掛け部
３６  開口部
３７  係止部
３８  被係止部
３９  下面
４０  閉塞面
４１  後面（第１の保持部）
４２  前面（第２の保持部）
４３  被接続部Ａ
４４  閉塞面（第２の保持部）
４５  凸部（第１の保持部）
４６  傾斜部
【図１】
2006081721.tif 000003
【図２】
2006081721.tif 000004
【図３】
2006081721.tif 000005
【図４】
2006081721.tif 000006
【図５】
2006081721.tif 000007
【図６】
2006081721.tif 000008